(57)【特許請求の範囲】
【請求項１】
導電性の根管長測定針をクリップして前記根管長測定針の先端が根尖に達したことを電気的に検出し、その時の前記根管長測定針の根管内への押入深さを該測定針に摺動自在に設けられたストッパに置き換え、該測定針の先端から該ストッパまでの長さより根管長を測定する歯科用根管長測定器において、先端部に前記測定針に接触されるクリップ部を有する測定電極線と、該測定電極線が挿通され、先端部が前記測定電極線のクリップ部と協働して前記根管長測定針を保持する樹脂製の測定針クリップホルダ筒とから成り、該測定針クリップホルダ筒の先端部外表面がセラミックスでコーティングされていることを特徴とする歯科用根管長測定器。
【請求項２】
前記セラミックスが、アルミナ、ジルコニア、又は、シリカを原料とするセラミックスであることを特徴とする請求項１に記載の歯科用根管長測定器。
【発明の詳細な説明】
【技術分野】
【０００１】
本発明は、根管治療の際に行われる根管長測定において、根管長測定針（ファイル又はリーマ）を保持する測定針クリップホルダ筒の先端部をセラミックス表面とし、測定針を上下動、回動することによって生じるホルダ筒先端部の削れを防止するようにした歯科用根管長測定器に関する。
【背景技術】
【０００２】
根管治療においては、根管治療に際し、根管長測定針を根管内に挿入し、その先端が根尖孔の位置に到達したことを検知し、その状態で、根管長測定針に挿通されたストッパの位置を歯冠に当接させ、その状態で根管長測定針を根管から引き出し、物差し等を用いて、根管長測定針の先端から前記ストッパまでの長さ（根管長）を計測して根管長を求めている。
【０００３】
図２は、従来の根尖孔位置検出装置の一例を説明するための要部構成図で、図中、１は根尖孔位置（又は根管長）測定針（リーマ又はファイル）、２は根尖孔位置（又は根管長）を測定しようとする歯牙、３は根管、４は測定針１に軸方向に移動可能に設けられたストッパ、５は口唇、６ａは測定針１をクリップする測定電極、７は測定電極６ａに対する対向電極、８は測定電極６ａに連通する測定電極用リード線、９は口唇５に引っかけられた対向電極７に連通する対向電極用リード線、１０は先端部に前記電極６ａを有する測定電極線６（図４参照）を収納した測定針クリップホルダ、２０は前記リード線８，９が接続された根管長測定器、２１は根尖孔位置検出表示部で、周知のように、測定針（ファイル又はリーマ）１に測定電極６ａを接触させた状態で、測定針１を根管３内に挿入していった時の根尖孔位置検出表示部２１の指針位置より測定針１の先端が根尖孔位置に達したことを知り、その状態でストッパ４を歯牙２の歯冠に当たる位置まで動かし、その状態で測定針１を口腔外に取り出し、物差しで該測定針１の先端からストッパ４までの長さを測定するものである（例えば、特許文献１参照）。表示部２１は、例えば、ＬＥＤ，液晶等で構成され、ＡＰＥＸ（根尖孔位置），Ｗ．Ｌ（作業長：根管長）が表示され、根管長測定針１の先端が根尖孔位置に達した時に、アラーム等が鳴るようになっている。（なお、根尖孔位置を電気的に検出する方法としては、特許文献２をはじめ、多数の公報が公開されているので、その詳細については省略する）。
【０００４】
図３は、図２に示した測定針クリップホルダ１０の使用例を説明するための図、図４は、図３に示した測定針クリップホルダ１０の断面構成図で、図中、１０はリーマ又はファイル等の根管長測定針１を測定電極６ａと協働してクリップする先端部を有する測定針クリップホルダで、周知のように、根管長測定針１は、導電性の針部材１ａ，刃部１ｂ，把持部１ｃ等から成り、リーマ又はファイルから成る測定針１を用いて根管を拡大しながら根管長を測定できるもので、根管長を測定する場合、ラバーストッパ４と把持部１ｃの間を測定電極６ａで保持し、測定針１を電気的根管長測定の際の一方の電極の信号取り付け部としている。この電気的な根管長の測定により、根管長が検出できたら、ラバーストッパ４を移動させて、根管長を測定針１のラバーストッパ４の位置に移して読んでいた。
【０００５】
測定電極線６は、図４に示すように、絶縁性の測定針クリップホルダ筒１１内に挿通され、その端部は、機械的には、押圧部材１２に固定され、電気的にはリード線８に接続され、該リード線８を通して図２に示した根管長（根尖位置）測定器２０に導かれている。一方、ホルダ筒１１の端部１１ａは大径に形成され、この大径部１１ａ内にスプリング１３が挿入されている。従って、押圧部材１２を矢別Ａ方向に押すと、スプリング１３が圧縮され、測定電極線６が矢印Ａ′方向に移動し、従って、ホルダ筒１１の先端部１１ｂと測定電極線６の先端の電極部６ａとの間に測定針１を挿入することができ、押圧部材１２の押圧力を解除すると、測定電極線６は、スプリング１３の復元力によって矢印Ｂ′方向に移動し、従って、図４に示したように、ホルダ筒１１の先端部１１ｂと測定電極線６の測定電極６ａとの間に測定針１を狭持（クリップ）することができる。
【先行技術文献】
【特許文献】
【０００６】
【特許文献１】特開２００８−６８０１５号公報
【特許文献２】特公昭６２−２１８７号公報
【発明の概要】
【発明が解決しようとする課題】
【０００７】
上述のごとき根管長測定を行うに際し、測定針としてリーマ、ファイル等を用いて、測定針１の把持部１ｃを親指と人差し指で持って該測定針を上下動して更には回動して根管の拡大等の作業も行うが、ホルダ筒１１が樹脂で構成されているため、測定針１を回転させることによって、該ホルダ筒の先端部１１ｂが削れてしまい、測定針（リーマ或いはファイル）１を保持する保持力が低下し、更には、削れた箇所からホルダ筒内へ異物が混入しやすくなる等の問題があった。
【０００８】
本発明は、上述のごとき実情に鑑みてなされたもので、根管長測定針をクリップ保持するホルダ筒の先端部表面をセラミックスでコーティングすることによって、該ホルダ筒の先端部が、測定針（リーマ又はファイル）の回転によって削れてしまうのを防止するようにしたものである。
【課題を解決するための手段】
【０００９】
上記課題を解決するために、請求項１の発明は、導電性の根管長測定針をクリップして前記根管長測定針の先端が根尖に達したことを電気的に検出し、その時の前記根管長測定針の根管内への押入深さを該測定針に摺動自在に設けられたストッパに置き換え、該測定針の先端から該ストッパまでの長さより根管長を測定する歯科用根管長測定器において、先端部に前記測定針に接触されるクリップ部を有する測定電極線と、該測定電極線が挿通され、先端部が前記測定電極線のクリップ部と協働して前記根管長測定針を保持する樹脂製の測定針クリップホルダ筒とから成り、該測定針クリップホルダ筒の先端部外表面がセラミックスでコーティングされていることを特徴としたものである。
【００１０】
請求項２の発明は、請求項１の発明において、前記セラミックスが、アルミナ、ジルコニア、又は、シリカを原料とするセラミックスであることを特徴としたものである。
【発明の効果】
【００１１】
本発明によると、ファイル、リーマ等からなる根管長測定針（リーマ或いはファイル）を回転しても、ホルダ筒の先端部が削れるようなことはなく、従って、根管長測定針（リーマ或いはファイル）を保持する保持力の低下、ホルダ筒への異物の混入を防ぐことができる。また、先端部が削れないので、見た目にも良好な状態を保つことができる。
【図面の簡単な説明】
【００１２】
【図１】本発明による歯科用根管長測定器の一例を説明するための図である。
【図２】従来の歯科用根管長測定器の一例を説明するための要部構成図である。
【図３】図２に示した測定針クリップホルダ１０の使用例を説明するための図である。
【図４】図３に示した測定針クリップホルダ１０の断面構成図である。
【発明を実施するための形態】
【００１３】
図１は、本発明による歯科用根管長測定器の一実施例を説明するための要部全体構成図で、図中、図２乃至図４に示した従来技術と同様の作用をする部分には同一の参照番号を付し、それらに関する説明は省略する。
図１において、１１’は樹脂製のホルダ筒１１の先端部（特に、図４に示したホルダ筒１１の先端１１ｂを含む部分）をセラミックス（好ましくは、耐食性、高強度に勝れた、例えば、アルミナ、ジルコニア、又は、シリカを原料とするセラミックス）で被覆（コーティング）した部分で、該先端部１１’の表面を耐食性、高強度のセラミックスとすることにより、該先端部に根管長測定針（リーマ或いはファイル）１を接触して上下動更には回動させたとしても、該セラミックス表面部が削れるようなことはなく、従って、根管長測定針１をクリップする保持力が低下するようなこともなく、また、削れることによって生じる異物がホルダ筒１１内へ混入することもない。また、ホルダ筒が削れないため、見た目にも良い状態を保つことができる。
【符号の説明】
【００１４】
１…根管長測定針、４…ストッパ、１０…測定針クリップホルダ、１１…ホルダ筒、１１’…ホルダ筒先端部のセラミックスコーティング部分。
【図１】
0005349436.tif 000002
【図２】
0005349436.tif 000003
【図３】
0005349436.tif 000004
【図４】
0005349436.tif 000005